(57)【特許請求の範囲】
【請求項１】
音を発生する音源体を実装した基板があって、この基板が収納されるとともに、同音源体から発生する音を通すための放音孔をその前面部に有している箱状本体と、この箱状本体の前面に配置されたときに、上記放音孔と重合する部分と上記放音孔と重合しない部分とを備えた前面シート放音孔を有している前面シートとを設けた放音孔付き音源機器において、
上記箱状本体の前面部において後方へ窪ませた凹所を形成して、上記前面シートを上記箱状本体の前面に配置したときに、この凹所の前面に上記放音孔とは重合していない上記前面シート放音孔が位置し、
上記凹所が、上記放音孔の周囲に形成されているものであり、
上記凹所および上記放音孔が、上記前面シート放音孔の口径より大きな形状を有しているものであり、しかも、上記箱状本体の前面部で同凹所どうしの間に形成される部位を上記前面シート放音孔にかからないように配していることを特徴とする放音孔付き音源機器。
【請求項２】
上記放音孔の裏面側で同放音孔と対峙するように、ほこりの進入を防止する目隠し片が配設されていることを特徴とする請求項１記載の放音孔付き音源機器。
【請求項３】
上記箱状本体の前面部に外周囲を囲うように枠部が形成されていることを特徴とする請求項１または請求項２記載の放音孔付き音源機器。
【発明の詳細な説明】
【０００１】
【発明が属する技術分野】
本発明は、放音孔付き音源機器に関し、さらに詳しくは、音を発生する音源体を実装した基板があって、この基板が収納されるとともに、同音源体から発生する音を通すための放音孔をその前面部に有している箱状本体と、この箱状本体の前面に配置されて少なくとも一部が上記放音孔と重合しない前面シート放音孔を有している前面シートとを設けた放音孔付き音源機器に関する。
【０００２】
【従来の技術】
従来から、図５に示すごとく、ブザーやチャイムなどの音を発生する音源体を実装した基板があって、この基板が収納されるとともに、同音源体から発生する音を通すための放音孔（３）をその前面部（４）に有している成形品の箱状本体（５）と、この箱状本体（５）の前面に配置されて少なくとも一部が上記放音孔（３）と重合しない前面シート放音孔（６）を有している前面シート（７）とを設けた放音孔付き音源機器が知られていたものであった。
【０００３】
そして、この箱状本体（５）の前面部（４）にあっては、必要に応じて、音源体の位置をわかりやすく示したり、ほこりが入りにくいように工夫されていてもかまわないものであった。さらに、同図５に示すごとく、上記前面シート（７）の取り付け位置を簡単に決められるように、上記箱状本体（５）の前面部（４）に外周囲を囲うように枠部（１１）が形成されていてもかまわないものであった。
【０００４】
【発明が解決しようとする課題】
このように、従来の放音孔付き音源機器の箱状本体（５）にあっては、前面シート（７）の前面シート放音孔（６）と重合する位置すべてに放音孔（３）を穿設するものではなく、重合する位置のうち数箇所のみに、音源体近傍の箱状本体（５）の前面部（４）に適度な口径の放音孔（３）が穿設されていたものであった。
【０００５】
しかしながら、このような従来の放音孔付き音源機器においては、前面シート（７）の前面シート放音孔（６）位置と箱状本体（５）の前面部（４）に形成されている放音孔（３）位置とが一致する箇所では内部が暗く見通すことができるものの、前面シート（７）の前面シート放音孔（６）が有っても、箱状本体（５）の前面部（４）で放音孔（３）が存在しない箇所では、同箱状本体（５）の前面部（４）の材質表面が直接見えることになり、一致する部分と不一致の部分とでやや異なった見え方となり、外観上での見栄えとしては違和感が生じて悪いものとなっていた。
【０００６】
本発明は、上述の問題に鑑みてなされたものであって、その目的とするところは、前面シートの前面シート放音孔位置と箱状本体の前面部での放音孔位置とが一致する部分と不一致の部分とで外観上の差異が少なくて、しかも、前面シートの貼付時などに、前面シート放音孔と放音孔との位置ずれを多少生じたとしても外観上の美観低下を防止し、さらに、ほこりなどが内部の基板へ進入するのを防止することができる放音孔付き音源機器を提供することにある。
【０００７】
【課題を解決するための手段】
本発明の請求項１に係る放音孔付き音源機器は、音を発生する音源体（１）を実装した基板（２）があって、この基板（２）が収納されるとともに、同音源体（１）から発生する音を通すための放音孔（３）をその前面部（４）に有している箱状本体（５）と、この箱状本体（５）の前面に配置されたときに、上記放音孔（３）と重合する部分と上記放音孔（３）と重合しない部分とを備えた前面シート放音孔（６）を有している前面シート（７）とを設けた放音孔付き音源機器において、上記箱状本体（５）の前面部（４）において後方へ窪ませた凹所（８）を形成して、上記前面シート（７）を上記箱状本体（５）の前面に配置したときに、この凹所（８）の前面に上記放音孔（３）とは重合していない上記前面シート放音孔（６）が位置し、上記凹所（８）が、上記放音孔（３）の周囲に形成されているものであり、上記凹所（８）および上記放音孔（３）が、上記前面シート放音孔（６）の口径より大きな形状を有しているものであり、しかも、上記箱状本体（５）の前面部（４）で同凹所（８）どうしの間に形成される部位であるスペーサ部（９）を上記前面シート放音孔（６）にかからないように配していることを特徴とする。
【００１１】
本発明の請求項２に係る放音孔付き音源機器は、上記放音孔（３）の裏面側で同放音孔（３）と対峙するように、ほこりの進入を防止する目隠し片（１０）が配設されていることを特徴とする。
【００１２】
本発明の請求項３に係る放音孔付き音源機器は、上記箱状本体（５）の前面部（４）に外周囲を囲うように枠部（１１）が形成されていることを特徴とする。
【００１３】
【発明の実施の形態】
以下、本発明を実施形態に係る図面に基づいてそれぞれ詳しく説明する。
【００１４】
図１は、本発明の一実施形態である放音孔付き音源機器を示した分解斜視図である。図２は、本発明の一実施形態である放音孔付き音源機器で箱状本体の前面部の様子を良くわかるように示した分解斜視図である。図３は、本発明の他の一実施形態である放音孔付き音源機器を示した分解斜視図である。図４は、本発明の一実施形態である放音孔付き音源機器で前面シートを取り外した際の様子を示した斜視図である。
【００１５】
本発明の放音孔付き音源機器は、図１ないし図４に示すごとく、音を発生する音源体（１）を実装した基板（２）があって、この基板（２）が収納されるとともに、同音源体（１）から発生する音を通すための放音孔（３）をその前面部（４）に有している箱状本体（５）と、この箱状本体（５）の前面に配置されて少なくとも一部が上記放音孔（３）と重合しない前面シート放音孔（６）を有している前面シート（７）とを設けた放音孔付き音源機器において、上記箱状本体（５）の前面部（４）において後方へ窪ませた凹所（８）を形成して、上記前面シート（７）を上記箱状本体（５）の前面に配置したときに、この凹所（８）の前面に上記放音孔（３）とは重合していない上記前面シート放音孔（６）が位置するようになされているものである。
【００１６】
上記音源体（１）は、音を発生するものであって、例えば、ブザーやチャイムなどといったものが採用されている。この音源体（１）の形状としては、図１に示すごとく、円筒状のものであってもかまわないし、その他の形状のものが採用されたとしてもかまわないものである。また、この音源体（１）のサイズとしては、箱状本体（５）に納まるものであれば、特に制限されるものではないものである。
【００１７】
上記基板（２）は、図１に示すごとく、上記音源体（１）を実装しているものである。この基板（２）は、上記音源体（１）に繋がる回路などを有していて、この回路などにより同音源体（１）が音を発生することができるようになっているものである。そして、この基板（２）は、箱状本体（５）に収納されているものである。この基板（２）が箱状本体（５）に収納される際、通常は、同箱状本体（５）の後側が開口していて、この箱状本体（５）後側の開口部分から収納されるようになっているものである。なお、この基板（２）の形状やサイズなどは、同箱状本体（５）に納まるものであれば、特に制限されるものではないものである。
【００１８】
上記放音孔（３）は、上記音源体（１）から発生する音を通すための孔であり、一個ないし複数個設けられているものである。この放音孔（３）は、図１ないし図４に示すごとく、箱状本体（５）の前面部（４）に設けられているものである。そして、同図１ないし図４に示すごとき場合であると、４個の放音孔（３）がそれぞれ設けられているが、本発明の放音孔付き音源機器においては、これに限定されないことは言うまでもないことである。また、この放音孔（３）の形状やサイズとしても、特に制限されるものではないものである。
【００１９】
上記前面シート（７）は、図１および図３に示すごとく、上記箱状本体（５）の前面に配置されているものである。そして、この前面シート（７）は、少なくとも一部が上記放音孔（３）と重合しない前面シート放音孔（６）を有しているものである。この前面シート（７）としては、樹脂製のフィルム状のものが良く用いられるが、上記箱状本体（５）の前面に配置されて取り付けることができるものであれば、その他の材質や形態のものであってもかまわないことは言うまでもないことである。この前面シート（７）の取り付けとしては、通常箱状本体（５）の前面に貼り付けられることで完結するものである。
【００２０】
上記凹所（８）は、図１および図３に示すごとく、上記箱状本体（５）の前面部（４）において後方へほんの少し窪ませて形成されているものである。つまり、この凹所（８）は、上記箱状本体（５）の前面部（４）の厚みに応じて若干窪ませて形成されているものである。この凹所（８）の前面には、同図に示すごとき上記前面シート（７）を上記箱状本体（５）の前面に配置したときに、上記放音孔（３）とは重合していない上記前面シート放音孔（６）が位置するようになされているものである。
【００２１】
本発明は、このような構成をとることによって、前面シート（７）を箱状本体（５）の前面に配置したときに、放音孔（３）と前面シート放音孔（６）との重合部分の見栄えと比べて、箱状本体（５）の前面部（４）において後方へ窪ませた凹所（８）と前面シート放音孔（６）との重合部分の見栄えを略同等にすることができるので、放音孔（３）と重合する前面シート放音孔（６）の部分のみが目立ってしまうといったことがなくなり、結果として、見栄えの良い放音孔付き音源機器を提供することができるものである。
【００２２】
また、図１ないし図４に示すごとく、上記凹所（８）が、上記放音孔（３）の周囲に形成されているものであると、前面シート（７）を箱状本体（５）の前面に配置したときに、放音孔（３）とは重合していない前面シート放音孔（６）が、放音孔（３）の周囲に形成されている凹所（８）により、同凹所（８）の前面に確実に位置するようにできて、しかも、放音孔（３）と前面シート放音孔（６）との重合部分の見栄えと、上述の凹所（８）と前面シート放音孔（６）との重合部分の見栄えとをより一層確実に略同等とすることができるので、放音孔（３）と重合する前面シート放音孔（６）の部分のみが目立ってしまうといったことはより一層確実になくなるものである。
【００２３】
さらに、図３に示すごとく、上記凹所（８）が、上記前面シート放音孔（６）と略同等寸法で略同形状になっているものであると、指などによる押圧力が前面シート放音孔（６）付近に加えられても、同前面シート放音孔（６）と略同等寸法で略同形状になっている凹所（８）の存在により、前面シート（７）の撓みを少なくして、弛んだり歪んだり破れたりすることを防止することができるものである。そして、同前面シート（７）を安価な比較的薄いシートで構成しても支障がなくなり、好ましいものである。
【００２４】
そして、図１および図４に示すごとく、上記凹所（８）および上記放音孔（３）が、上記前面シート放音孔（６）の口径より大きな形状を有しているものであり、しかも、上記箱状本体（５）の前面部（４）で同凹所（８）どうしの間に形成されるスペーサ部（９）を上記前面シート放音孔（６）にかからないように適宜有しているものであると、前面シート（７）の取り付け時に放音孔（３）と前面シート放音孔（６）との位置がずれても、凹所（８）および放音孔（３）が前面シート放音孔（６）の口径より大きな形状を有していることで、放音孔（３）と前面シート放音孔（６）との重合や凹所（８）と前面シート放音孔（６）との重合が確実になされて、結果として、外観上の美観低下を防止することができるものである。しかも、凹所（８）どうしの間に形成されるスペーサ部（９）を前面シート放音孔（６）にかからないように適宜有しているので、この点でも外観上の美観低下を防止することができ、スペーサ部（９）により、凹所（８）と重合する前面シート放音孔（６）の位置も決まり、その結果、前面シート（７）の取り付けとしても行いやすいものとなる。
【００２５】
しかも、図２に示すごとく、上記放音孔（３）の裏面側で同放音孔（３）と対峙するように、ほこりの進入を防止する目隠し片（１０）が配設されているものであると、放音孔（３）の裏面側で同放音孔（３）と対峙するように、目隠し片（１０）があることにより、放音孔（３）よりほこりなどが箱状本体（５）の外部から進入するのを防止することができるものとなる。
【００２６】
なお、上記目隠し片（１０）の形状やサイズなどは、箱状本体（５）の外部からほこりなどが進入するのを防止することができるものであれば、特に制限されないものである。
【００２７】
また、図１ないし図４に示すごとく、上記箱状本体（５）の前面部（４）に外周囲を囲うように枠部（１１）が形成されているものであると、前面シート（７）の取り付け時に、外周囲を囲うように形成されている枠部（１１）により、同前面シート（７）の取り付け位置が簡単にわかり、位置決めとしての役割を充分に果たし、結果として、優れる放音孔付き音源機器を提供することに繋げられるものである。
【００２８】
本発明の放音孔付き音源機器によると、図１ないし図４に示すごとく、音を発生する音源体（１）を実装した基板（２）があって、この基板（２）が収納されるとともに、同音源体（１）から発生する音を通すための放音孔（３）をその前面部（４）に有している箱状本体（５）と、この箱状本体（５）の前面に配置されて少なくとも一部が上記放音孔（３）と重合しない前面シート放音孔（６）を有している前面シート（７）とを設けた放音孔付き音源機器において、上記箱状本体（５）の前面部（４）において後方へ窪ませた凹所（８）を形成して、上記前面シート（７）を上記箱状本体（５）の前面に配置したときに、この凹所（８）の前面に上記放音孔（３）とは重合していない上記前面シート放音孔（６）が位置するようになされているので、前面シート（７）を箱状本体（５）の前面に配置したときに、放音孔（３）と前面シート放音孔（６）との重合部分の見栄えと比べて、箱状本体（５）の前面部（４）において後方へ窪ませた凹所（８）と前面シート放音孔（６）との重合部分の見栄えを略同等にすることができるので、放音孔（３）と重合する前面シート放音孔（６）の部分のみが目立ってしまうといったことがなくなり、結果として、見栄えの良い放音孔付き音源機器を提供することができるものである。
【００２９】
すなわち、本発明は、箱状本体（５）の前面部（４）において後方へ窪ませた凹所（８）を形成して、前面シート（７）を箱状本体（５）の前面に配置したときに、この凹所（８）の前面に放音孔（３）とは重合していない前面シート放音孔（６）が位置するようになされていることで、前面シート放音孔（６）位置と箱状本体（５）の前面部（４）での放音孔（３）位置とが一致する部分と不一致の部分とで外観上の差異が少なくて、しかも、前面シート（７）の貼付時などに、前面シート放音孔（６）と放音孔（３）との位置ずれを多少生じたとしても外観上の美観低下を防止し、さらに、ほこりなどが内部の基板（２）へ進入するのを防止することができるものである。
【００３０】
【発明の効果】
本発明の請求項１に係る放音孔付き音源機器によると、前面シート（７）を箱状本体（５）の前面に配置したときに、放音孔（３）と前面シート放音孔（６）との重合部分の見栄えと比べて、箱状本体（５）の前面部（４）において後方へ窪ませた凹所（８）と前面シート放音孔（６）との重合部分の見栄えを略同等にすることができるので、放音孔（３）と重合する前面シート放音孔（６）の部分のみが目立ってしまうといったことがなくなり、結果として、見栄えの良い音源機器を提供することができるものである。
【００３１】
また、本発明の請求項１に係る放音孔付き音源機器によると、請求項１記載の場合に加えて、前面シート（７）を箱状本体（５）の前面に配置したときに、放音孔（３）とは重合していない前面シート放音孔（６）が、放音孔（３）の周囲に形成されている凹所（８）により、同凹所（８）の前面に確実に位置するようにできて、しかも、放音孔（３）と前面シート放音孔（６）との重合部分の見栄えと、上述の凹所（８）と前面シート放音孔（６）との重合部分の見栄えとをより一層確実に略同等とすることができるので、放音孔（３）と重合する前面シート放音孔（６）の部分のみが目立ってしまうといったことはより一層確実になくなるものである。
さらに、本発明の請求項１に係る放音孔付き音源機器によると、前面シート（７）の取り付け時に放音孔（３）と前面シート放音孔（６）との位置がずれても、凹所（８）および放音孔（３）が前面シート放音孔（６）の口径より大きな形状を有していることで、放音孔（３）と前面シート放音孔（６）との重合や凹所（８）と前面シート放音孔（６）との重合が確実になされて、結果として、外観上の美観低下を防止することができるものである。しかも、凹所（８）どうしの間に形成される部位であるスペーサ部（９）を前面シート放音孔（６）にかからないように適宜有しているので、この点でも外観上の美観低下を防止することができ、スペーサ部（９）により、凹所（８）と重合する前面シート放音孔（６）の位置も決まり、その結果、前面シート（７）の取り付けとしても行いやすいものとなる。
【００３４】
本発明の請求項２に係る放音孔付き音源機器によると、請求項１の場合に加えて、放音孔（３）の裏面側で同放音孔（３）と対峙するように、目隠し片（１０）があることにより、放音孔（３）よりほこりなどが箱状本体（５）の外部から進入するのを防止することができるものとなる。
【００３５】
本発明の請求項３に係る放音孔付き音源機器によると、請求項１ないし請求項２いずれか記載の場合に加えて、前面シート（７）の取り付け時に、外周囲を囲うように形成されている枠部（１１）により、同前面シート（７）の取り付け位置が簡単にわかり、位置決めとしての役割を充分に果たし、結果として、優れる放音孔付き音源機器を提供することに繋げられるものである。
【図面の簡単な説明】
【図１】本発明の一実施形態である放音孔付き音源機器を示した分解斜視図である。
【図２】本発明の一実施形態である放音孔付き音源機器で箱状本体の前面部の様子を良くわかるように示した分解斜視図である。
【図３】本発明の他の一実施形態である放音孔付き音源機器を示した分解斜視図である。
【図４】本発明の一実施形態である放音孔付き音源機器で前面シートを取り外した際の様子を示した斜視図である。
【図５】一従来例に係る放音孔付き音源機器を示した分解斜視図である。
【符号の説明】
１    音源体
２    基板
３    放音孔
４    前面部
５    箱状本体
６    前面シート放音孔
７    前面シート
８    凹所
９    スペーサ部
１０  目隠し片
１１  枠部
【図１】
0004032826.tif 000002
【図２】
0004032826.tif 000003
【図３】
0004032826.tif 000004
【図４】
0004032826.tif 000005
【図５】
0004032826.tif 000006